(57)【要約】【課題】    本考案の目的は、屈曲点の改善を図った履物用アウトソールを提供するものである。【解決手段】    履物用アウトソールＳは、アウトソールＳの地面と当接する面と反対側の表面側の周縁に立設した周壁１と、アウトソールＳの表面側の略中央から踵の側に向かって周壁１に接続された縦中央リブ２と、この縦中央リブ２の両側からそれぞれ周壁１に向かって設けられた複数の横リブ３と、複数の横リブ３の内、前記踵の側から一番遠い横リブ３に空所Ｋ１を介して対向し、周壁１に接続された対向横リブ４とを備えているものである。【選択図】図１
0003192849.tif 000002
【実用新案登録請求の範囲】
【請求項１】
アウトソールの地面と当接する面と反対側の表面側の周縁に立設した周壁と、
前記アウトソールの表面側の略中央から踵の側に向かって前記周壁に接続された縦中央リブと、
この縦中央リブの両側からそれぞれ前記周壁に向かって設けられた複数の横リブと、
前記複数の横リブの内、前記踵の側から一番遠い前記横リブに空所を介して対向し、前記周壁に接続された対向横リブとを備えている
ことを特徴とする履物用アウトソール。
【請求項２】
アウトソールの地面と当接する面と反対側の表面側の周縁に立設した周壁と、
前記アウトソールの表面側の略中央から踵の側に向かって前記周壁に接続された縦中央リブと、
この縦中央リブの両側からそれぞれ前記周壁に向かって設けられた複数の横リブと、
前記複数の横リブの内、前記踵の側から一番遠い前記横リブに空所を介して対向し、前記周壁に接続された対向横リブとを備え、
前記複数の横リブの内、隣接する横リブは、空所を介して対向し、
前記対向横リブの位置を履物の屈曲点の位置に合致させている
ことを特徴とする履物用アウトソール。
【請求項３】
複数の横リブの内、隣接する横リブは、空所を介して対向している
ことを特徴とする請求項１記載の履物用アウトソール。
【考案の詳細な説明】
【技術分野】
【０００１】
本考案は、履物用アウトソールに係り、特に、屈曲点の改善を図った履物用アウトソールに関する。
【背景技術】
【０００２】
履物の履き心地の一要素として、屈曲点の位置をどこに設けるべきかがある。
従来の屈曲点は、例えば、アウトソールの中央より爪先の側にあり、また、一方、アウトソールの軽量化に伴って、アウトソールには、縦リブと横リブとが設けられている。
【考案の概要】
【考案が解決しようとする課題】
【０００３】
ところが、縦リブより爪先側に屈曲点を設けようとすると、アウトソールの強度が低下するという問題点があった。
【０００４】
本考案は、上記の問題点を考慮してなされた履物用アウトソールを提供することを目的とする。
【課題を解決するための手段】
【０００５】
請求項１記載の履物用アウトソールは、アウトソールの地面と当接する面と反対側の表面側の周縁に立設した周壁と、前記アウトソールの表面側の略中央から踵の側に向かって前記周壁に接続された縦中央リブと、この縦中央リブの両側からそれぞれ前記周壁に向かって設けられた複数の横リブと、前記複数の横リブの内、前記踵の側から一番遠い前記横リブに空所を介して対向し、前記周壁に接続された対向横リブとを備えているものである。
【０００６】
また、請求項２記載の履物用アウトソールは、アウトソールの地面と当接する面と反対側の表面側の周縁に立設した周壁と、前記アウトソールの表面側の略中央から踵の側に向かって前記周壁に接続された縦中央リブと、この縦中央リブの両側からそれぞれ前記周壁に向かって設けられた複数の横リブと、前記複数の横リブの内、前記踵の側から一番遠い前記横リブに空所を介して対向し、前記周壁に接続された対向横リブとを備え、前記複数の横リブの内、隣接する横リブは、空所を介して対向し、前記対向横リブの位置を履物の屈曲点の位置に合致させているものである。
【０００７】
また、請求項３記載の履物用アウトソールは、請求項１記載の履物用アウトソールにおいて、複数の横リブの内、隣接する横リブは、空所を介して対向しているものである。  
【考案の効果】
【０００８】
請求項１記載の履物用アウトソールによれば、踵の側より爪先の側の縦中央リブの先端より爪先の側に履物の屈曲点を設けても、複数の横リブの内、踵の側から一番遠い横リブに空所を介して対向し、周壁に接続された対向横リブを設けているため、履物用アウトソールの強度を維持しながら、縦中央リブの先端より爪先の側に履物の屈曲点を設けることができる。
【０００９】
また、請求項２記載の履物用アウトソールによれば、踵の側より爪先の側の縦中央リブの先端より爪先の側に履物の屈曲点を設けても、複数の横リブの内、踵の側から一番遠い横リブに空所を介して対向し、周壁に接続された対向横リブを設けているため、履物用アウトソールの強度を維持しながら、縦中央リブの先端より爪先の側に履物の屈曲点を設けることができ、
また、複数の横リブの内、隣接する横リブは、空所を介して対向し、前記空所がある分、軽量で、
しかも、対向横リブの位置を履物の屈曲点の位置に合致させているため、屈曲しても、対向横リブで補強され、履物用アウトソールの強度を保つことができる。
【００１０】
また、請求項３記載の履物用アウトソールによれば、前述の請求項１記載の考案の効果に加え、複数の横リブの内、隣接する横リブは、空所を介して対向し、前記空所がある分、軽量な履物用アウトソールを得ることができる。
【図面の簡単な説明】
【００１１】
【図１】図１は、本考案の一実施例のアウトソールで、地面と当接する面と反対側の面を上方に位置させたアウトソールの概略的平面図である。
【図２】図２は、図１の概略的底面図である。
【図３】図３は、図１の概略的左側面図である。
【図４】図４は、図１のＡ−Ａ線による概略的断面図である。
【図５】図５は、図１のＢ−Ｂ線による概略的断面図である。
【図６】図６は、図１のＣ−Ｃ線による概略的断面図である。
【図７】図７は、図１のアウトソールを用いた履物の使用状態の概略的図である。
【考案を実施するための形態】
【００１２】
本考案の一実施例のアウトソールを図面を参照して説明する。
図１に示すＳはアウトソールで、図１は、地面と当接する面と反対側の面を上方に位置させたアウトソールＳの概略的平面図である。
なお、アウトソールＳの材質は、例えば、発泡ラバー、ポリウレタン、EVA等であり、また、アウトソールＳの硬度は、例えば、アスカーC型による硬度が約60〜約80程度である。
【００１３】
１は、アウトソールＳの地面と当接する面と反対側の表面側の周縁に立設した周壁で、２は縦中央リブで、縦中央リブ２は、アウトソールＳの表面側の略中央（前記アウトソールの長手方向の略半分の位置）から踵の側に向かって周壁１に接続されている。
３は横リブで、横リブ３は、縦中央リブ２の両側からそれぞれ周壁１に向かって複数設けられている。横リブ３、３は、略平行となっている。
【００１４】
また、４は対向横リブで、対向横リブ４は、複数の横リブ３の内、踵の側から一番遠い横リブ３（３１）に空所Ｋ１を介して対向し、周壁１に接続されている。
図２、図３、図７に示す７は、アウトソールＳを用いた履物８の屈曲点である。
このように、踵の側より爪先の側の縦中央リブ２の先端より爪先の側に履物８の屈曲点７を設けても、複数の横リブ３の内、踵の側から一番遠い横リブ３（３１）に空所Ｋ１を介して対向し、周壁１に接続された対向横リブ４を設けているため、履物用アウトソールの強度（例えば、特に、ねじれに対する強度である。）を維持しながら、縦中央リブ２の先端より爪先の側に履物８の屈曲点７を設けることができる。
なお、望ましくは、対向横リブ４の位置を履物８の屈曲点７の位置に合致させるのが良い。
複数の横リブ３の内、隣接する横リブ３は、空所Ｋ２を介して対向している。空所Ｋ２を設けて、履物８の軽量化を図っている。
【符号の説明】
【００１５】
Ｓ     履物用アウトソール 
１     周壁
２     縦中央リブ
３     横リブ
４     対向横リブ
【図１】
0003192849.tif 000003
【図２】
0003192849.tif 000004
【図３】
0003192849.tif 000005
【図４】
0003192849.tif 000006
【図５】
0003192849.tif 000007
【図６】
0003192849.tif 000008
【図７】
0003192849.tif 000009